【手続補正書】
【提出日】平成24年6月26日(2012.6.26)
【手続補正１】
【補正対象書類名】特許請求の範囲
【補正対象項目名】全文
【補正方法】変更
【補正の内容】
【特許請求の範囲】
【請求項１】
シート材を積載するシート積載部と、
前記シート積載部に積載されたシート材のシート端部に当接、離間可能に配置され、前記シート端部に当接して該シート材の位置を規制する端部規制部材と、
を備え、
前記端部規制部材は、
前記シート積載部に係合するロック状態、前記シート積載部に係合するロック状態から離脱したアンロック状態のいずれかに設定されるロック部材と、
前記ロック部材よりも上方に設けられ、前記ロック部材をロック状態又はアンロック状態に設定する際に操作する操作部と、
前記操作部と前記ロック部材とを連結する伝達部材と、
を備え、
前記伝達部材が、前記操作部と係合できる回転部材と、前記ロック部材と係合できる固定部材とを備え、
前記ロック部材が、前記伝達部材の前記固定部材と係合して該固定部材の回転を禁止しあるいは許容できる回転禁止・許容部材を備え、
前記操作部の操作で、前記伝達部材を回転可能な状態あるいは回転できない状態とするものであり、
前記伝達部材を回転可能な状態あるいは回転できない状態とする前記操作部の操作が、
前記操作部と前記伝達部材の前記回転部材とを係合させ、前記伝達部材の前記固定部材と前記ロック部材の前記回転禁止・許容部材とを係合状態とすることで前記ロック部材が回転できない前記ロック状態とする操作と、
前記操作部と前記伝達部材の前記回転部材とを係合させず、前記伝達部材の前記固定部材と前記ロック部材の前記回転禁止・許容部材とを係合しない状態とすることで前記ロック部材が回転できる前記アンロック状態とする操作とである、
ことを特徴とするシート材積載装置。
【請求項２】
前記操作部は、前記端部規制部材に配置された取手部に設けられていることを特徴とする請求項１記載のシート材積載装置。
【請求項３】
前記シート積載部は、
前記シートが載置される積載台と、
前記積載台に積載されたシートを押し上げる積載台上昇機構と、
前記積載台に積載されたシートの束から最上位置のシートを分離する分離機構と、
を備える、
ことを特徴とする請求項１又は２に記載のシート材積載装置。
【請求項４】
前記ロック部材は、
前記シート積載部の内部に固定されたラック部材と、
前記端部規制部材の下部に配置され、前記ラック部材に噛合するピニオン部材と、
を備え、
前記操作部と前記ピニオン部材とが前記伝導部材で連結されている、
ことを特徴とする請求項１乃至３のいずれかに記載のシート材積載装置。
【請求項５】
前記操作部には前記シート載置部内に上下方向に沿って配置された中空のステー部材を備え、
前記伝達部材は前記ステー部材の内部に配置されていることを特徴とする請求項４に記載のシート材積載装置。
【請求項６】
前記操作部には、前記伝達部材に連結された回転部材と、前記回転部材に押し付けられ前記回転部材の回転を防止する押圧部材と、前記押圧部材を前記回転部材に押し付けるレバー部材とを備えることを特徴とする請求項４または５のいずれかに記載のシート材積載装置。
【請求項７】
前記レバー部材は、前記操作部に該操作部を挟んで前記シート材の配置方向と逆の方向に配置したことを特徴とする請求項６に記載のシート材積載装置。
【請求項８】
前記レバー部材に配置した前記回転部材は、周囲に突起部を備えたギヤ形状のものであり、前記押圧部材、前記回転部材に噛合する爪部が形成されていることを特徴とする特徴とする請求項６又は７に記載のシート材積載装置。
【請求項９】
前記レバー部材の上面に傾斜面を設けたことを特徴とする請求項６乃至８のいずれかに記載のシート材積載装置。
【請求項１０】
前記レバー部材の握部に凹凸部を設けたことを特徴とする請求項６乃至９のいずれかに記載のシート材積載装置。
【請求項１１】
前記操作部は前記シート載置部内に上下方向に沿って２本のステー備え、該２本のステー部材は、配置されるシート材の対称軸に対して線対称となる位置に配置されていることを特徴とする請求項１乃至１０のいずれかに記載のシート材積載装置。
【請求項１２】
請求項１乃至１１のいずれかに記載のシート材積載装置を備えることを特徴とする画像形成装置。
【手続補正２】
【補正対象書類名】明細書
【補正対象項目名】００１０
【補正方法】変更
【補正の内容】
【００１０】
請求項１の発明は、  シート材を積載するシート積載部と、
前記シート積載部に積載されたシート材のシート端部に当接、離間可能に配置され、前記シート端部に当接して該シート材の位置を規制する端部規制部材と、
を備え、
前記端部規制部材は、
前記シート積載部に係合するロック状態、前記シート積載部に係合するロック状態から離脱したアンロック状態のいずれかに設定されるロック部材と、
前記ロック部材よりも上方に設けられ、前記ロック部材をロック状態又はアンロック状態に設定する際に操作する操作部と、
前記操作部と前記ロック部材とを連結する伝達部材と、
を備え、
前記伝達部材が、前記操作部と係合できる回転部材と、前記ロック部材と係合できる固定部材とを備え、
前記ロック部材が、前記伝達部材の前記固定部材と係合して該固定部材の回転を禁止しあるいは許容できる回転禁止・許容部材を備え、
前記操作部の操作で、前記伝達部材を回転可能な状態あるいは回転できない状態とするものであり、
前記伝達部材を回転可能な状態あるいは回転できない状態とする前記操作部の操作が、
前記操作部と前記伝達部材の前記回転部材とを係合させ、前記伝達部材の前記固定部材と前記ロック部材の前記回転禁止・許容部材とを係合状態とすることで前記ロック部材が回転できない前記ロック状態とする操作と、
前記操作部と前記伝達部材の前記回転部材とを係合させず、前記伝達部材の前記固定部材と前記ロック部材の前記回転禁止・許容部材とを係合しない状態とすることで前記ロック部材が回転できる前記アンロック状態とする操作とである、
ことを特徴とするシート材積載装置である。
【手続補正３】
【補正対象書類名】明細書
【補正対象項目名】００１２
【補正方法】変更
【補正の内容】
【００１２】
請求項３の発明は、請求項１又は２に記載のシート材積載装置において、
前記シート積載部は、前記シートが載置される積載台と、前記積載台に積載されたシートを押し上げる積載台上昇機構と、前記積載台に積載されたシートの束から最上位置のシートを分離する分離機構と、を備える、ことを特徴とする。
【手続補正４】
【補正対象書類名】明細書
【補正対象項目名】００１３
【補正方法】変更
【補正の内容】
【００１３】
請求項４の発明は、請求項１乃至３のいずれか記載のシート材積載装置において、前記ロック部材は、前記シート積載部の内部に固定されたラック部材と、前記端部規制部材の下部に配置され、前記ラック部材に噛合するピニオン部材と、を備え、前記操作部と前記ピニオン部材とが前記伝導部材で連結されている、ことを特徴とする。
【手続補正５】
【補正対象書類名】明細書
【補正対象項目名】００１４
【補正方法】変更
【補正の内容】
【００１４】
請求項５の発明は、請求項４に記載のシート材積載装置において、前記操作部には前記シート載置部内に上下方向に沿って配置された中空のステー部材を備え、前記伝達部材は前記ステー部材の内部に配置されていることを特徴とする。
【手続補正６】
【補正対象書類名】明細書
【補正対象項目名】００１５
【補正方法】変更
【補正の内容】
【００１５】
請求項６の発明は、請求項４または５のいずれかに記載のシート材積載装置において、前記操作部には、前記伝達部材に連結された回転部材と、前記回転部材に押し付けられ前記回転部材の回転を防止する押圧部材と、前記押圧部材を前記回転部材に押し付けるレバー部材とを備えることを特徴とする。
【手続補正７】
【補正対象書類名】明細書
【補正対象項目名】００１６
【補正方法】変更
【補正の内容】
【００１６】
請求項７の発明は、請求項６に記載のシート材積載装置において、前記レバー部材は、前記操作部に該操作部を挟んで前記シート材の配置方向と逆の方向に配置したことを特徴とする。
【手続補正８】
【補正対象書類名】明細書
【補正対象項目名】００１７
【補正方法】変更
【補正の内容】
【００１７】
請求項８の発明は、請求項６又は７に記載のシート材積載装置において、前記レバー部材に配置した前記回転部材は、周囲に突起部を備えたギア形状のものであり、前記押圧部材、前記回転部材に噛合する爪部が形成されていることを特徴とする。
【手続補正９】
【補正対象書類名】明細書
【補正対象項目名】００１８
【補正方法】変更
【補正の内容】
【００１８】
請求項９の発明は、請求項６乃至８のいずれかに記載のシート材積載装置において、前記レバー部材の上面に傾斜面を設けたことを特徴とする。
【手続補正１０】
【補正対象書類名】明細書
【補正対象項目名】００１９
【補正方法】変更
【補正の内容】
【００１９】
請求項１０の発明は、請求項６乃至９のいずれかに記載のシート材積載装置において、前記レバー部材の握部に凹凸部を設けたことを特徴とする。
【手続補正１１】
【補正対象書類名】明細書
【補正対象項目名】００２０
【補正方法】変更
【補正の内容】
【００２０】
請求項１１の発明は、請求項１乃至１０のいずれかに記載のシート材積載装置において、前記操作部は前記シート積載部内に上下方向に沿って２本のステー備え、２本のステー部材は、配置されるシート材の対称軸に対して線対称となる位置に配置されていることを特徴とする。
【手続補正１２】
【補正対象書類名】明細書
【補正対象項目名】００２１
【補正方法】変更
【補正の内容】
【００２１】
請求項１２の発明は、請求項１乃至１１のいずれかに記載のシート材積載装置を備えることを特徴とする画像形成装置である。